(57)【要約】【課題】  トーナメントなどにおいて、釣り上げた魚を魚保管容器内にて保管し、計量時には魚を取り出しやすいツールを提供する。【解決手段】  魚保管容器(10)の内部空間において、釣り上げた魚を確保するためのインナー網(20)とする。  上面を開放し、前記の魚保管容器(10)の内部空間よりも一回り小さな網本体(21)と、  その網本体(21)における上面の周囲を開口状態に維持する枠体(22)と、  その枠体(22)および前記の魚保管容器(10)の内部空間の上部を着脱自在に固定する固定体(23)と、  前記の枠体(22)付近においてインナー網(20)を持つための持ち手(24)と、を備える。  前記の網本体(21)は、魚を傷つけず折り畳みが可能な可撓性のあるメッシュ素材にて形成する。【選択図】  図１
2014023460.tif 000002
【特許請求の範囲】
【請求項１】
魚保管容器の内部空間において、釣り上げた魚を確保するためのインナー網であって、
上面を開放し、前記の魚保管容器の内部空間よりも少なくとも側面が一回り小さな網本体と、
その網本体における上面の周囲を開口状態に維持する枠体と、
その枠体および前記の魚保管容器における内部空間の上部付近を着脱自在に固定する固定体と、
前記の枠体付近においてインナー網を持つための持ち手と、
を備え、
前記の網本体は、可撓性のあるメッシュ素材にて形成したインナー網。
【請求項２】
前記の固定体は、前記の枠体における平面形状の中心を挟んで少なくとも一組とした請求項１に記載のインナー網。
【請求項３】
魚保管容器と、その魚保管容器の内部空間において、釣り上げた魚を確保するためのインナー網とを備え、
上面を開放し、前記の魚保管容器の内部空間よりも少なくとも側面が一回り小さな網本体と、
その網本体における上面の周囲を開口状態に維持する枠体と、
その枠体および前記の魚保管容器における内部空間の上部付近を着脱自在に固定する固定体と、
前記の枠体付近においてインナー網を持つための持ち手と、
を備え、
前記の網本体は、可撓性のあるメッシュ素材にて形成した魚保管容器。
【請求項４】
前記の固定体は、前記の枠体における平面形状の中心を挟んで少なくとも一組とした請求項３に記載の魚保管容器。
【発明の詳細な説明】
【技術分野】
【０００１】
本発明は、魚保管容器の収納空間の内側に固定して用いる網に関する。
【背景技術】
【０００２】
一般に、保冷容器（またはクーラーボックス）は、ボックス形状の外ケースと内ケースの間に断熱材を配置しており、内ケースに入れた内容物の温度を、冷蔵または温蔵のためのエネルギ供給を行うことなく長時間にわたって外気温に近づけないために用いる。  内容物を主に保冷する場合が多く、たとえば、屋外レジャーや魚釣りなどに用いられる。
また、魚釣りにおいては、保冷機能には乏しいが水または海水を一時的に入れて釣り餌や釣り上げた魚を入れるなどの用途に用いる「バッカン」と呼ばれる容器もある。
【０００３】
さて、魚釣りの競技会などにおいては、競技時間を決めて、その時間内に釣った魚を計量して大きさを競うという場合がある。ブラックバスなどが対象である場合には、釣った魚を生かしておかなければならない、というルールもある。
そのような場合には、ハンドル付きのバッカンに水または海水を満たして釣り上げた魚を入れ、そのバッカンを運ぶ、というのが一般的である。  なお、バッカンの代わりにクーラーボックスを用いることもある。
【０００４】
また、図５（ａ）に示すような持ち手付き網３０を用いる場合もある。これは、上面を開口した袋状のメッシュ素材の網本体３１と、その開口部分を補強する枠体３２と、その枠体に固定された持ち手３３とからなる。
さて、魚を入れた持ち手付き網３０を計量の場へ運び、魚を取り出して計量し、計量が終えたらリリースする場合も多い。その計量までの間に魚を生かしておくには、図５（ｂ）に示すように、川縁の杭へ持ち手３３を引っ掛けて、網本体３１が水中に浸かるようにする、といった使い方をする。
【０００５】
特許文献１には、釣った魚を弱らせないように計量するための「釣り堀魚の計量システム」が開示されている。
【先行技術文献】
【特許文献】
【０００６】
【特許文献１】特開２００２−２２８５１８号公報
【発明の概要】
【発明が解決しようとする課題】
【０００７】
図５（ａ）に示した持ち手付き網３０を用いずに、計量のタイミングまで釣り上げた魚を生かしておくためにバッカン（またはクーラーボックス）に入れて用いるということが考えられる。バッカンに水または海水を満たし、バッカン内に釣り上げた魚を入れれば、魚をある程度の時間生かしておくことができるからである。
しかし、計量時にはバッカン内の生きている魚を出さなければならない。中を満たしている水または海水を空けるか、中の魚を手掴みしなければならず、その際には持ち手付き網３０よりも不便である。
【０００８】
本発明が解決しようとする課題は、釣り上げた魚を魚保管容器内にて保管し、計量時など必要に応じて魚を取り出しやすいツールを提供することにある。
【課題を解決するための手段】
【０００９】
（第一の発明）
本願における第一の発明は、  魚保管容器(10)の内部空間において、釣り上げた魚を確保するためのインナー網(20)に係る。
すなわち、上面を開放し、前記の魚保管容器(10)の内部空間よりも少なくとも側面が一回り小さな網本体(21)と、  その網本体(21)における上面の周囲を開口状態に維持する枠体(22)と、  その枠体(22)および前記の魚保管容器(10)の内部空間の上部を着脱自在に固定する固定体(23)と、  前記の枠体(22)付近においてインナー網(20)を持つための持ち手(24)と、
を備える。
前記の網本体(21)は、可撓性のあるメッシュ素材にて形成する。
【００１０】
（用語説明）
「魚保管容器(10)」とは、バッカン、バケツ、クーラーボックスなどである。
「網本体(21)」とは、可撓性のある紐状部材にてメッシュ状に形成された網体である。網体の素材は、柔軟な合成樹脂、天然素材の綿などである。魚を傷つけない、折り畳める、といった機能を発揮できる必要がある。  網本体(21)の形状は、魚保管容器(10)が直方体であれば直方体をなす網体となるし、魚保管容器(10)としてのバッカンやバケツなどが略円筒形であれば、その略円筒形をなす網体となる。
枠体(22)において「開口状態に維持する」とは、魚保管容器(10)の開口よりも一回り小さな形状を保持することである。
「固定具(23)」とは、たとえば、スナップ式ボタン、面ファスナーなどである。
【００１１】
（作用）
釣り場までの移動中は、インナー網(20)の底面へ枠体(22)を近づけるようにして網本体(21)を折り畳み、魚保管容器(10)の内部空間の底面などへ納める。
釣り場に到着したら、枠体(22)の固定体(23)を用いて枠体(22)および魚保管容器(10)の内部空間の上部を固定する。  そして、水または海水を魚保管容器(10)に入れる。
魚(40)を釣り上げたら、その魚(40)をインナー網(20)の中へ入れる。水または海水で満たされているので、魚(40)を生したままにすることができる。  網本体(21)は、魚保管容器(10)の内部空間よりも一回り小さいので、魚保管容器(10)の内壁面と網本体(21)との間には隙間があるので、魚(40)が魚保管容器(10)の内壁面へぶつかりにくく、魚(40)を痛めにくい。
【００１２】
計量の際には、固定具(23)を外し、持ち手(24)を持って、インナー網(20)を魚保管容器(10)の内部空間から取り出す。当然、魚(40)はインナー網(20)の中にいる。その魚(40)をインナー網(20)から出して、あるいはインナー網(20)を出さずに、計量する。
計量が終わったら、インナー網(20)を魚保管容器(10)の内部空間へ戻してもよいし、魚(40)をリリースしてもよい。
【００１３】
（第一の発明のバリエーション１）
第一の発明は、前記の固定体(23)は、前記の枠体(22)における平面形状の中心を挟んで少なくとも一組として形成してもよい。
「少なくとも一組」であるので、二組、あるいはそれ以上であってもよい。
【００１４】
（作用）
枠体(22)における平面形状の中心を挟んで固定体(23)が位置しているので、安定して固定することができるとともに、着脱が容易である。
【００１５】
（第二の発明）
第二の発明は、  魚保管容器(10)と、その魚保管容器(10)の内部空間において、釣り上げた魚を確保するためのインナー網(20)とを備えた魚保管容器(10)に係る。
【００１６】
（第二の発明のバリエーション１）
第二の発明は、前記の固定体(23)につき、前記の枠体(22)における平面形状の中心を挟んで少なくとも一組として形成してもよい。
【発明の効果】
【００１７】
本願の第一の発明によれば、釣り上げた魚を魚保管容器内にて保管し、必要な時には魚を取り出しやすいインナー網を提供することができた。
本願の第二の発明によれば、釣り上げた魚を魚保管容器内にて保管し、必要な時には魚を取り出しやすい、インナー網を備えた魚保管容器を提供することができた。
【図面の簡単な説明】
【００１８】
【図１】本発明の実施形態を示す組み立て斜視図である。
【図２】本発明の実施形態を示す斜視図であって、インナー網をバッカンへ収めた状態を示す。
【図３】本発明の実施形態を示す断面図であって、インナー網をバッカンへ収めた状態（ａ）と、インナー網を折り畳んだ状態（ｂ）を示す。
【図４】本発明の実施形態を示す側面図であって、釣り上げた魚をバッカン内のインナー網へ収めた状態（ａ）と、インナー網のみで魚を運ぶ状態（ｂ）を示す。
【図５】従来技術を示す斜視図である。
【発明を実施するための形態】
【００１９】
以下、本発明の実施形態について図面を参照して説明する。  ここで用いる図は、図1から図４である。
【００２０】
図１に示すのは、バッカン１０と、そのクーラーボックス１０の内部空間において、釣り上げた魚を確保するためのインナー網２０である。
本実施形態にて採用したバッカン１０は、上面を開口した直方体をなすボックス本体１０と、そのボックス本体１０の上面を覆う内蓋１２と、その内蓋１２を閉じた状態でボックス本体１０の内部空間を密閉する外蓋１３とを備える。
【００２１】
内蓋１２は、ボックス本体１１の内部空間を見ることができるように、透明な素材で作られている。また、釣り上げた魚の寸法を測るためのスケールが印刷されている。また、斜め方向に切れ目を備えており、内蓋１２にてボックス本体１１を閉じた状態でも、釣り上げた魚を内部空間へ入れることができる。
【００２２】
前記のインナー網２０は、上面を開放し、前記のバッカン１０の内部空間よりも一回り小さな樹脂製の網本体２１と、  その網本体２１における上面の周囲を固定する枠体２２と、  その枠体２２および前記バッカン１０の内部空間の上部を着脱自在に固定する固定体２３と、  前記の枠体２２付近においてインナー網２０を持つための持ち手２４と、を備えている。
網本体２１は、バッカン１０の内部空間よりも一回り小さいので、図２に示すようにバッカン１０の内部空間へすっぽりと収まる。
【００２３】
図３（ａ）に示すように、バッカン１０の内部空間に位置した網本体２１は、バッカン１０の内壁面に接しない位置へ、吊り下げられるように（水または海水を入れると、網本体２１や枠体２２の浮力によって内壁面と接触しないようや距離を置いて）固定される。固定体２３は、枠体２２における平面形状の中心を挟んで、一組としている。
本実施形態の固定体２３は、着脱が容易であることと、一体成型が可能であるといった理由から、熱可塑性樹脂製のファスナーボタン式を採用している。したがって、両側の固定体２３をバッカン１０の内壁面へ押しつけて取り付け、内壁面から引き離すように取り外す。
【００２４】
前記の網本体２１は、可撓性のあるメッシュ素材にて形成している。魚に傷を付けにくいようにするためである。また、図３（ｂ）に示すように、使用していない時には折り畳むことができる。
釣り場への移動、釣り場からの移動の際に、バッカン１０は様々な釣り道具を収納するので、網本体２１が収納場所をコンパクトにできることは、利便性が高い。
【００２５】
図４（ａ）には、バッカン１０の内部空間へインナー網２０を固定したうえで水または海水を満たし、釣り上げた魚を保管する様子を示している。バッカン１０の保冷能力が水または海水の温度上昇を抑えるので、魚を保管するのに適している。
図４（ｂ）は、釣り上げた魚を計量する、リリースするなど、バッカン１０の内部空間から移す場面で、インナー網２０をどのように使うかを示している。すなわち、固定体２３を外し、持ち手２４を持ち上げれば、釣り上げた魚を容易に運ぶことができる。
【００２６】
前記のインナー網２０における網本体２１は、バッカン１０の内部空間よりも一回り小さく形成したとして説明した。本願発明においては、バッカン１０の内側面と、インナー網２０の側面との間に隙間が存在すればよい。  すなわち、インナー網２０を縦方向寸法は、バッカン１０の内部空間へインナー網２０を固定した場合に、インナー網２０の底面がバッカン１０の内底面に接触する寸法であってもかまわない。
【産業上の利用可能性】
【００２７】
本発明は、釣具、釣用備品または雑貨の製造業、レンタル業などのレジャー産業、および運送業において利用可能性を有する。
【符号の説明】
【００２８】
１０  バッカン                  １１  ボックス本体
１２  内蓋                      １３  外蓋
２０  インナー網                ２１  網本体
２２  枠体                      ２３  固定体
２４  持ち手
３０  持ち手付き網              ３１  網本体
３２  枠体                      ３３  持ち手
４０  魚
【図１】
2014023460.tif 000003
【図２】
2014023460.tif 000004
【図３】
2014023460.tif 000005
【図４】
2014023460.tif 000006
【図５】
2014023460.tif 000007